(57)【要約】  装置は、負荷側導電パス（１３０）と電源装置（１０２）とに結合する電源側導電パス（１０８）を含む。電源側導電パス（１０８）は衣服に含まれており、負荷側導電パス（１３０）はヘッドマウントウェアラブルデバイス（ＨＭＷＤ）に関係している。
2018503341.tif 000002
【特許請求の範囲】
【請求項１】
負荷側導電パスと電源装置とに結合する電源側導電パスを備え、
前記電源側導電パスは衣服に含まれており、前記負荷側導電パスはヘッドマウントウェアラブルデバイス（ＨＭＷＤ）に関係している、装置。
【請求項２】
前記電源側導電パスは、機械的結合要素、電気的結合要素および磁気的結合要素のうち少なくとも１つを備える、請求項１に記載の装置。
【請求項３】
前記電源側導電パスは送信コイルに相当する、請求項１に記載の装置。
【請求項４】
前記電源側導電パスは送信コイルを備える、請求項１に記載の装置。
【請求項５】
前記電源側導電パスは直流（ＤＣ）電圧および電流のうち少なくとも１つを流す、請求項１または２に記載の装置。
【請求項６】
前記電源側導電パスは、前記電源装置に関係する時間変動波形を流す、請求項１から４のいずれか１つに記載の装置。
【請求項７】
電源側導電パスと負荷とに結合する負荷側導電パスを備え、
前記負荷側導電パスはヘッドマウントウェアラブルデバイス（ＨＭＷＤ）に関係し、前記電源側導電パスは衣服に含まれている、装置。
【請求項８】
前記負荷側導電パスは、機械的結合要素、電気的結合要素および磁気的結合要素のうち少なくとも１つを備える、請求項７に記載の装置。
【請求項９】
前記負荷側導電パスは受信コイルに相当する、請求項７に記載の装置。
【請求項１０】
前記負荷側導電パスは受信コイルを備える、請求項７に記載の装置。
【請求項１１】
前記負荷側導電パスは直流（ＤＣ）電圧および電流のうち少なくとも１つを流す、請求項７または８に記載の装置。
【請求項１２】
前記負荷側導電パスは、電源装置に関係する時間変動波形を流す、請求項７から１０のいずれか１つに記載の装置。
【請求項１３】
電源装置と、
負荷側導電パスと前記電源装置とに結合する電源側導電パスを有する衣服とを備え、
前記負荷側導電パスは、ヘッドマウントウェアラブルデバイス（ＨＭＷＤ）に関係している、システム。
【請求項１４】
前記衣服は、シャツ、ブラウス、ジャケット、ベスト、セーター、プルオーバー、コートおよびベルトを含む群から選択される、請求項１３に記載のシステム。
【請求項１５】
前記衣服は複数の層を備え、前記電源側導電パスは少なくとも１つの層に含まれている、請求項１３に記載のシステム。
【請求項１６】
前記電源側導電パスは、前記衣服の襟ぐり領域を少なくとも部分的に取り囲む、請求項１３から１５のいずれか１つに記載のシステム。
【請求項１７】
前記衣服が結合領域を備え、前記電源側導電パスの少なくとも一部分が前記結合領域に含まれている、請求項１３から１５のいずれか１つに記載のシステム。
【請求項１８】
前記電源側導電パスは、機械的結合要素、電気的結合要素および磁気的結合要素のうち少なくとも１つを備える、請求項１３から１５のいずれか１つに記載のシステム。
【請求項１９】
ヘッドマウントウェアラブルデバイス（ＨＭＷＤ）に結合するストラップと、
電源側導電パスと負荷とに結合する負荷側導電パスとを備え、
前記負荷側導電パスは、前記ヘッドマウントウェアラブルデバイス（ＨＭＷＤ）に関係しており、前記電源側導電パスは、衣服に含まれている、システム。
【請求項２０】
前記負荷側導電パスの少なくとも一部分が、前記ストラップに含まれている、請求項１９に記載のシステム。
【請求項２１】
前記ストラップの少なくとも一部分は、硬質または半硬質であるか、可撓性を有する、請求項１９に記載のシステム。
【請求項２２】
前記ストラップの少なくとも一部分は、前記衣服における結合領域と位置合わせされる、請求項１９に記載のシステム。
【請求項２３】
前記負荷側導電パスは、機械的結合要素、電気的結合要素および磁気的結合要素のうち少なくとも１つを備える、請求項１９から２２のいずれか１つに記載のシステム。
【請求項２４】
前記ストラップが受信コイルを備える、請求項１９から２２のいずれか１つに記載のシステム。
【発明の詳細な説明】
【技術分野】
【０００１】
本開示は、電源システムに関し、具体的には、ヘッドマウントウェアラブルデバイス電源システムに関する。
【背景技術】
【０００２】
例えばヘッドマウントディスプレイ（head mounted display、以下ＨＭＤとも表記）を備えるヘッドマウントウェアラブル電子装置（head mounted wearable electronic device、ＨＭＷＤとも表記）は、充電式バッテリによって電力供給される場合がある。あるバッテリ関連技術では、バッテリの容量が増大するにつれて、バッテリの大きさ（および重量）も増大する。ＨＭＷＤへの電力供給に使用されるバッテリは、少なくとも部分的にはユーザの快適さを考慮して、その大きさと重量が制限される。このようなバッテリは、充電と充電の間のＨＭＷＤの作動時間を制限し得る容量についても、同様に制限されることがある。
【図面の簡単な説明】
【０００３】
請求項に記載の主題の特徴と利点は、以下の一貫性を有する実施形態の詳細な説明により、明らかとなる。この説明は、添付の図面を参照するものである。
【０００４】
【図１Ａ】図１Ａは、ヘッドマウントウェアラブルデバイス（ＨＭＷＤ）の電源システムを表わす機能ブロック図であり、図示の電源システムは、本開示の様々な実施形態と整合するものである。
【図１Ｂ】図１Ｂは、本開示の様々な実施形態と整合する疎結合構成の略図である。
【図１Ｃ】図１Ｃは、本開示の様々な実施形態と整合する密結合（すなわち密着型結合）構成の略図である。
【図２】図２には、本開示の様々な実施形態と整合する、例示的な負荷側導電パスおよび結合領域を示す。
【図３】図３には、本開示の様々な実施形態と整合する、例示的な電源側導電パス結合領域を示す。
【図４】図４には、本開示の様々な実施形態に係る電源側導電パスを含む衣服の層構成を示す。
【図５Ａ】図５Ａは、本開示の実施形態の１つと整合するＨＭＷＤ電源システムの例示的な負荷部を示す。
【図５Ｂ】図５Ｂは、例示的な電源部を示し、この電源部は、本開示の実施形態の１つと整合する図５ＡのＨＭＷＤ電源システムの負荷部に関係する。
【図６Ａ】図６Ａは、本開示の実施形態の１つと整合するＨＭＷＤ電源システムの別の例示な的負荷部を示す。
【図６Ｂ】図６Ｂは、別の例示的な電源部を示し、この電源部は、本開示の実施形態の１つと整合する図６ＡのＨＭＷＤ電源システムの負荷部に関係する。
【図７】図７は、別の例示的な電源部を示し、この電源部は、本開示の実施形態の１つと整合する図５ＡのＨＭＷＤ電源システムの負荷部に関係する。
【図８】図８は、本開示の実施形態の１つと整合する別の例示的な電源部を示す。
【図９】図９には、本開示の様々な実施形態と整合する、調節可能なストラップを有する例示的なＨＭＷＤを示す。
【図１０】図１０は、本開示の様々な実施形態と整合する動作のフローチャートである。
【発明を実施するための形態】
【０００５】
以下の詳細な説明は、例示的な実施形態を参照して記載されるが、これら実施形態の多数の代案、改変、変形が当業者には明らかであろう。
【０００６】
ヘッドマウントウェアラブルデバイス（以下、ＨＭＷＤとも表記）のバッテリに、例えばバッテリパックのような、頭部に装着しない電源を補充することによって、充電と充電の間の作動時間を延長可能である。この電源をＨＭＷＤに結合すると、ＨＭＷＤに搭載されている充電式バッテリの大きさおよび／または重量を増加させることなく、追加容量を供給できる。
【０００７】
本開示は、概して、ＨＭＷＤ電源システム（および方法）に関する。本開示の方法とシステムは、負荷側導電パスと電源装置（例えばバッテリパック）とに結合するよう構成された電源側導電パスを含む。電源側導電パスは、シャツ、ブラウス、ジャケット、ベスト、セーター、プルオーバー、コート、ベルト等の衣服に含まれていてもよい。電源装置は、衣服に含まれるか、および／または、取り付けられていてもよい。負荷側導電パスは、電源側導電パスと負荷（例えばＨＭＷＤ）に結合するよう構成されている。負荷側導電パスの少なくとも一部分は、ユーザの首を少なくとも部分的に取り囲むよう構成されたＨＭＷＤに結合されたストラップに含まれている。例えば、このストラップは、不使用時にＨＭＷＤをユーザの首から吊り下げるための紐であってもよい。
【０００８】
電源側導電パスおよび／または負荷側導電パスは、ユーザが衣服とＨＭＷＤとストラップとを装着しているときに、電源側導電パスからの電気エネルギーおよび／または磁気エネルギーを負荷側導電パスに結合する１つまたは複数の結合要素を含んでいてもよい。電源側導電パスおよび／または１つまたは複数の結合要素は、さらに、結合を容易にするために、電源側導電パスと負荷側導電パスとの間の位置決め許容差を提供するよう構成されている。例えば、疎結合システムにおいては、位置決め許容差は２０ミリメータ（ｍｍ）〜４０ｍｍの範囲であってもよい。別の例では、蜜結合システムにおいては、位置決め許容差は５ｍｍ〜１０ｍｍの範囲であってもよい。
【０００９】
また、１つまたは複数の結合要素は、ユーザが頭部からＨＭＷＤを外すときに、負荷側導電パスの結合が容易に解除でるように構成されている。ある実施形態では、電源側導電パスと負荷側導電パスとは、電源側導電パスと負荷側導電パスとの間で無線エネルギー伝送を行うよう構成されている。別の実施形態では、電源側導電パスと負荷側導電パスとは、電源側導電パスと負荷側導電パスとの間で有線エネルギー伝送を行うよう構成されている。
【００１０】
ＨＭＷＤは、ウェアラブルコンピューティング装置、ヘッドマウントディスプレイ（以下、ＨＭＤとも表記する）、光学ＨＭＤ等を含むが、これらに限定されない。ウェアラブルコンピューティング装置は、例えばユーザによって装着可能に構成されたコンピューティング装置である。ＨＭＤは、頭部に装着される、および／または、ヘルメットの一部を構成する表示装置である。ＨＭＤは、比較的小型の表示用光学部品を含み、この光学部品は片方の目の前方に配置される（単眼用ＨＭＤ）か、両方の目の前方に配置される（両眼用ＨＭＤ）。光学ＨＭＤは、投写映像を映すと同時に、光学ＨＭＤ越しにユーザがものを見ることができるよう構成されている。ＨＭＤは、ゲーム用ＨＭＤおよび／またはバーチャルリアリティ用ＨＭＤ（例えば、ＯｃｕｌｕｓＴＭやＲｉｆｔＴＭ）を含んでいてもよいが、これに限定されない。Ｇｏｏｇｌｅ（登録商標）ＧｌａｓｓＴＭは、光学ＨＭＤの一例であり、ウェアラブルコンピューティング装置であると考えてもよい。
【００１１】
図１Ａは、本開示の様々な実施形態に整合する、ＨＭＷＤ電源システム１００の機能ブロック図である。電源システム１００は、電源装置１０２、電源側導電パス１０８、および負荷側導電パス１３０を含む。いくつかの実施形態では、電源システム１００は、電源電力変換回路１０６および／または負荷電力変換回路１３４を含んでいてもよい。例えば、電源装置１０２は、１つまたは複数のバッテリを含み、このバッテリはバッテリパックとして構成されていてもよい。バッテリは、充電式であってもよく、充電式でなくてもよい。電源システム１００は、電源制御回路１０４および／または負荷制御回路１３２を含んでいてもよい。電源制御回路１０４および／または負荷制御回路１３２は、それぞれ、電源装置１０２、電源電力変換回路１０６、および負荷電力変換回路１３４の動作を制御するよう構成されている。
【００１２】
電源装置１０２、電源制御回路１０４、電源側導電パス１０８、および電源電力変換回路１０６が設けられている場合は、これらは、本開示における電源部１０１に相当することがある。負荷側導電パス１３０、負荷制御回路１３２、および負荷電力変換回路１３４が設けられている場合は、これらは、本開示における負荷部１２９に相当することがある。
【００１３】
電源電力変換回路１０６は、電源装置１０２からの入力に少なくとも部分的に基づいて、時間変動出力電圧および／または電流（すなわち、時間変動波形）を発生させるよう構成されている。別の例では、電源電力変換回路１０６は、ＤＣ（直流電流）入力電圧および／または電流を、別のＤＣ出力電圧／電流にレベルシフトするよう構成されたＤＣ／ＤＣ変換器を含んでいてもよい。
【００１４】
負荷電力変換回路１３４は、ＤＣ出力電圧および／または電流（すなわちＤＣエネルギー）を生成するように構成されている。例えば、負荷電力変換回路１３４は、整流器、レギュレータ、キャパシタ、および時間変動入力が入力されて、ＤＣ出力を生成するよう構成された関連回路（図示せず）を含んでいてもよい。別の例では、負荷電力変換回路１３４は、ＤＣ入力電圧および／または電流を、１または複数の対応のＤＣ出力電圧／電流にレベルシフトするよう構成されたＤＣ／ＤＣ変換器を含んでいてもよい。そして、この１または複数のＤＣ出力電圧／電流（すなわちＤＣ出力電力）によって、ＨＭＷＤに電力が供給され、および／または、ＨＭＷＤに関連するバッテリが、出力ポート１３８を介して充電されるよう構成されていてもよい。
【００１５】
電源側導電パス１０８および／または負荷側導電パス１３０は、それぞれ、１つまたは複数の導電要素（例えば、ワイヤ）を含んでいる。各導電要素は、電気エネルギーおよび／または磁気エネルギーを流す（すなわち伝導する）するよう構成された１または複数の導電材料を含んでいてもよい。導電材料には、金属（例えば、銅やアルミニウム）、グラファイトおよび／または導電性ポリマー（例えば、ポリアセチレン、ポリピロール、ポリアニリン）のような非金属導体、等が含まれるが、これらに限定されない。電源側導電パス１０８の少なくとも一部分は、硬質または半硬質であるか、可撓性を有していてもよい。負荷側導電パス１３０の少なくとも一部分は、硬質または半硬質であるか、可撓性を有していてもよい。
【００１６】
電源側導電パス１０８は、負荷側導電パス１３０と電源装置１０２とに結合するよう構成されている。負荷側導電パス１３０は、電源側導電パス１０８ａと負荷（例えばＨＭＷＤ１４０）とに結合するよう構成されている。ある実施形態では、電源側導電パス１０８および負荷側導電パス１３０は、それぞれの時間変動波形（電圧および／または電流）を流すよう構成されている。別の実施形態では、電源側導電パス１０８および負荷側導電パス１３０は、ＤＣ電圧および／またはＤＣ電流（すなわちＤＣ電力）を流すよう構成されている。電源側導電パス１０８は、１つまたは複数の結合要素１２２ａ，１２４ａ，および１２６ａを含んでいてもよい。負荷側導電パス１３０は、１つまたは複数の結合要素１２２ｂ，１２４ｂ，および１２６ｂを含んでいてもよい。
【００１７】
結合要素１２２ａ，１２４ａ，１２６ａ、１２２ｂ，１２４ｂおよび１２６ｂは、電源側導電パス１０８と負荷側導電パスとに結合して、電源側導電パス１０８から負荷側導電パス１３０への、および、電源装置１０２から負荷１４０への電気エネルギーおよび／または磁気エネルギーの伝送を容易にするよう構成されている。結合要素１２２ａ，１２４ａ，１２６ａ、１２２ｂ，１２４ｂおよび１２６ｂは、電源側導電パス１０８と負荷側導電パス１３０との間で、電気的、磁気的および／または機械的結合を提供するよう構成されていてもよい。したがって、結合要素１２２ａ，１２４ａ，１２６ａ、１２２ｂ，１２４ｂおよび１２６ｂには、機械的結合要素１２２ａおよび１２２ｂ、電気的結合要素１２４ａおよび１２４ｂ、および／または、磁気的結合要素１２６ａおよび１２６ｂが含まれ得る。
【００１８】
機械的結合要素１２２ａおよび１２２ｂは、電源側導電パス１０８と負荷側導電パス１３０との間に、着脱可能な機械的結合を提供する。機械的結合要素１２２ａおよび１２２ｂは、負荷側導電パス１３０が電源側導電パス１０８の近傍にあるときには、電源側導電パス１０８と負荷側導電パス１３０を脱着可能に結合するよう構成され、例えば、負荷側導電パス１３０に力がかったときには、結合を解除するように構成されている。例えば、機械的結合要素１２２ａおよび１２２ｂは、互いに脱着可能に取り付けられるよう構成された第１の部分と第２の部分とを有する締結部を含んでいてもよい。第１の部分１２２ａは、電源側導電パス１０８に含まれていてもよく、第２の部分１２２ｂは負荷側導電パス１３０に含まれていてもよい。締結部は、スナップクロージャー、布製フック、ループファスナ（例えば、ベルクロ（登録商標））等を含み得るが、これらに限定されない。
【００１９】
別の例では、機械的結合要素１２２ａおよび１２２ｂは、脱着可能な機械的結合を提供する１つまたは複数の磁気要素（例えば、磁石）を含んでいてもよい。各磁石は、１または複数の強磁性材料を含んでいてもよい。強磁性材料としては、鉄、ニッケル、コバルト、鉄合金（例えば、鉄に加え、アルミニウム（Ａｌ）、ニッケル（Ｎｉ）、コバルト（Ｃｏ）を含有し、さらに、銅および／またはチタンを含有し得る、アルニコ）、希土類合金（例えば、ネオジウム、サマリウム−コバルト、ネオジミウム−鉄−ボロン（ＮＩＢ））、天然鉱物（例えば、天然磁石）等があるが、これらに限定されない。ある実施形態では、機械的結合要素１２２ａおよび１２２ｂは、電源側導電パス１０８を負荷側導電パス１３０に脱着可能に結合するよう構成された複数の磁石を含んでいてもよい。例えば、本明細書に記載の１つまたは複数の磁石１２２ａは、電源側導電パス１０８に取り付けられていてもよく、および／または、１つまたは複数の磁石１２２ｂは、負荷側導電パス１３０に取り付けられていてもよい。
【００２０】
電気的結合要素１２４ａおよび１２４ｂは、電源側導電パス１０８と負荷側導電パス１３０とを電気的に結合して、電源側導電パス１０８から負荷側導電パス１３０へのエネルギー伝送を補助するよう構成されていてもよい。いくつかの実施形態では、電気的結合要素１２４ａおよび１２４ｂは、１つまたは複数の機械的結合要素１２２ａおよび１２２ｂに相当していてもよい。ある実施形態では、電気的結合要素１２４ａおよび１２４ｂは、電源側導電パス１０８を負荷側導電パス１３０に脱着可能に電気的に結合するよう構成された複数の電気コンタクトを含んでいてもよい。この実施形態では、電源側導電パス１０８および負荷側導電パス１３０は、電気的に結合されると、導電回路を形成し得る。この実施形態では、電源側導電パス１０８は、電源装置１０２からのＤＣ電圧および／または電流（すなわちＤＣエネルギー）を受けて、対応するＤＣ電圧および／または電流（すなわちＤＣエネルギー）を、電気コンタクト１２４ａおよび１２４ｂを介して、負荷側導電パス１３０に供給するよう構成されている。この実施形態では、電源側導電パス１０８および負荷側導電パス１３０は、一般的に、コイルを含まなくてもよい。いくつかの実施形態では、電気的結合要素１２４ａおよび１２４ｂは、１つまたは複数の導電性磁石に相当していてもよい。
【００２１】
ある実施形態では、磁気的結合要素１２６ａおよび１２６ｂは、電源側導電パス１０８と負荷側導電パス１３０と間に磁気的結合（例えば、誘導結合または共振結合）を供給して、電源側導電パス１０８から負荷側導電パス１３０へのエネルギー伝送を補助するよう構成されていてもよい。磁気的結合要素１２６ａおよび１２６ｂは、１つまたは複数のコイル（すなわち、巻線）を含んでいてもよい。コイル（巻線）は、それぞれ、電源側導電パス１０８および負荷側導電パス１３０により形成されていてもよく、含まれていてもよい。各コイル１２６ａおよび１２６ｂは、ワイヤの１または複数の巻き（すなわち、ループ）を有していてもよい。いくつかの実施形態では、コイル１２６ａおよび／または１２６ｂは、磁心を有していてもよい。磁心の材料には、強磁性金属（例えば、鉄、ケイ素鋼）、フェリ磁性化合物（例えば、マンガン亜鉛フェライト、ニッケル亜鉛フェライトのようなソフトフェライト）等が含まれるが、これらに限定されない。磁心は、磁気的結合効率を向上させるよう構成されており、よって、結合係数を増大させ得る。
【００２２】
電気エネルギーおよび／または磁気エネルギーは、電源側導電パス１０８（例えば、送信コイル１２６ａ）から負荷側導電パス１３０（例えば、受信コイル１２６ｂ）に、磁気誘導および／または磁気共鳴を介して、伝送される。結合が密結合であるか疎結合であるは、送信コイル１２６ａと受信コイル１２６ｂの相対位置に少なくとも部分的に基づいている。疎結合構成は、共振結合を含み得る。密結合構成は、誘導結合および／または共振結合を含み得る。共振結合は、誘導結合に比べて、比較的大きい位置許容差を提供する。共振結合では、比較的より高い結合係数が共振により提供されるように構成されており、よって、比較的大きい位置許容差が容易に得られる。
【００２３】
磁気誘導（すなわち、誘導結合）および／または磁気共鳴（すなわち、共振結合）では、送信コイル内に形成される交流（すなわち、時間変動）磁場（磁束）により、受信コイルに起電力（ｅｍｆ）、すなわち、電圧が誘起されるよう構成されている。電源側導電パス１０８（および送信コイル１２６ａ）と負荷側導電パス１３０（および受信コイル１２６ｂ）との間で伝送されるエネルギーの量は、送信コイル１２６ａと受信コイル１２６ｂとの間の距離、コイルの直径、送信コイル１２６ａ内の交流磁束の周波数、送信コイル１２６ａ内の交流磁束の大きさ、コイルの巻き数、送信コイル１２６ａと受信コイル１２６ｂとの相対的配向、および／または、磁気コイルが使用されている場合には、コアに使用されている材料のうち１つまたは複数に関係する。共振結合では、伝送されるエネルギーの量は、さらに、送信コイル１２６ａおよび受信コイル１２６ｂの共振同調に関係する。
【００２４】
一般的に、送信コイル１２６ａが発生させる磁束の断片は、受信コイル１２６ｂに衝突して、したがって、電源側導電パス１０８と負荷側導電パス１３０との間でのエネルギー伝送に寄与する。同じ電源側磁束について、比較的より多くの量の磁束が受信コイル１２６ｂに到達するということは、送信コイル１２６ａと受信コイル１２６ｂとの間で比較的より良好な結合（すなわち、より高い結合係数および／または向上した結合効率）が実現されることに相当する。
【００２５】
図１Ｂは、本開示の様々な実施形態と整合する疎結合構成１５０の略図である。疎結合構成１５０は、図１Ａの電源側導電パス１０８および負荷側導電パス１３０に相当する、電源側導電パス１０８ａおよび負荷側導電パス１３０ａを含む。電源側導電パス１０８ａは、送信コイル１２７ａと、送信コイル１２７ａを電源１１１に結合するよう構成された電源側導電パス部１０９ａとを含む。電源１１１は、電源装置１０２および電源電力変換回路１０６を含む。負荷１３３は、負荷電力変換回路１３４を含み、ＨＭＷＤを含んでいてもよい。負荷側導電パス１３０ａは、受信コイル１２７ｂと、受信コイル１２７ｂを負荷１３３に結合するよう構成された負荷側導電パス部１３１ａとを含む。送信コイル１２７ａおよび／または受信コイル１２７ｂは、１または複数の巻きを有していてもよい。
【００２６】
送信コイル１２７ａおよび受信コイル１２７ｂは、それぞれ、図１Ａの磁気的結合要素１２６ａおよび１２６ｂの例である。送信コイル１２７ａおよび受信コイル１２７ｂは、本明細書に記載の共振結合用に構成されている。したがって、送信コイル１２７ａおよび／または受信コイル１２７ｂは、本明細書に記載の磁心を含んでいてもよい。送信コイル１２７ａおよび受信コイル１２７ｂは、図示し易いように、概ね円形に示されている。送信コイル１２７ａおよび受信コイル１２７ｂは、概ね円形、楕円形、概ね矩形、および／または不規則な形状であってもよい。送信コイル１２７ａは、直径ＤＳを有し、受信コイル１２７ｂは、直径ＤＬを有する。電源側導電パス部１０９ａは、長さＬ１を有し、負荷側導電パス部１３１ａは長さＬ２を有する。送信コイル１２７ａの第１の端部は、受信コイル１２７ｂの第１の端部から距離ｄ１に位置し、送信コイル１２７ａの第２の端部は、受信コイル１２７ｂの第２の端部から距離ｄ２に位置している。疎結合構成１５０の一例では、距離ｄ１は、距離ｄ２、直径ＤＬおよび／または直径ＤＳよりも小さく、長さＬ１は直径ＤＳよりも小さく、長さＬ２は直径ＤＬよりも小さい。この例では、送信コイル１２７ａは、概して、電源側導電パス１０８ａに相当し、受信コイル１２７ｂは、概して、負荷側導電パス１３０ａに相当する。言い換えれば、電源側導電パス部１０９ａおよび負荷側導電パス部１３１ａは、それぞれ、送信コイル１２７ａおよび受信コイル１２７ｂの直径に比べて、比較的短くてもよい。送信コイル１２７ａにより囲まれた内部領域１２５ａと、受信コイル１２７ｂにより囲まれた内部領域１２５ｂとは、結合領域に関係し得る。例えば、磁気的結合領域は、送信コイル１２７ａおよび受信コイル１２７ｂにより画定されていてもよい。磁気的結合領域の少なくとも一部分は、本明細書に記載の機械的結合領域に含まれていてもよい。
【００２７】
例えば、疎結合構成では、距離ｄ１は２０ｍｍ〜４０ｍｍの範囲であってよく、コイル１２７ａおよび１２７ｂのそれぞれの断面直径は５ｍｍ〜４０ｍｍの範囲であってよく、コイル１２７ａおよび１２７ｂは、概して複数の巻きを有していてもよい。距離ｄ１の許容値は、伝送される電力に関係し得る。距離ｄ２は、概して距離ｄ１よりも大きく、変化してもよい。コイル１２７ａおよび１２７ｂのそれぞれの断面直径は、コイルの材料および／または各コイルの巻き数に関係し得る。疎結合構成は、共振結合を含み得る。コイルの直径ＤＬおよびＤＳは、例えば、衣服のサイズ、襟ぐり、ユーザの頭部のサイズ等に関係する物理的な形状に関係し得る。コイルの直径ＤＬおよびＤＳは、概して、作動周波数に依存し得る。例えば、共振結合のための疎結合構成では、作動周波数（すなわち、共振周波数）は、１．０メガヘルツ（ＭＨｚ）〜５０ＭＨｚの範囲であってよい。共振周波数は、コイルの巻き数、コイルの材料、コイルの直径、および／または断面直径に関係し得る。例えば、作動周波数は、６．７８  ＭＨｚであってよい。例えば、共振周波数が比較的より低いということは、巻き数が比較的より多いことに相当し、よって、断面直径が比較的より大きいことに相当する。
【００２８】
図１Ｃは、本開示の様々な実施形態と整合する密結合（すなわち、密着型結合）構成１７０の略図である。密結合構成１７０は、図１Ａの電源側導電パス１０８および負荷側導電パス１３０に相当する、電源側導電パス１０８ｂおよび負荷側導電パス１３０ｂを含む。電源側導電パス１０８ｂは、送信コイル１２７ｃと、送信コイル１２７ｃを電源１１１に結合するよう構成された電源側導電パス部１０９ｂとを含む。負荷側導電パス１３０ｂは、受信コイル１２７ｄと、受信コイル１２７ｄを負荷１３３に結合するよう構成された負荷側導電パス部１３１ｂとを含む。送信コイル１２７ｃおよび受信コイル１２７ｄは、概して、ワイヤを複数回巻回して構成されている。送信コイル１２７ｃおよび受信コイル１２７ｄは、それぞれ、図１Ａの磁気結合要素１２６ａおよび１２６ｂの例である。
【００２９】
送信コイル１２７ｃおよび受信コイル１２７ｄは、本明細書に記載の誘導結合または共振結合用に構成されている。送信コイル１２７ｃおよび受信コイル１２７ｄは、図示し易いように、概ね円形に示されている。送信コイル１２７ｃおよび受信コイル１２７ｄは、概ね円形、楕円形、概ね矩形、および／または不規則な形状であってもよい。送信コイル１２７ｃは、直径ＤＳを有し、受信コイル１２７ｄは、直径ＤＬを有する。電源側導電パス部１０９ｂは、長さＬ３を有し、負荷側導電パス部１３１ｂは長さＬ４を有する。送信コイル１２７ｃは、受信コイル１２７ｄから距離ｄに位置している。密結合構成１７０の一例では、距離ｄは、直径ＤＬおよび／または直径ＤＳよりも小さく、長さＬ３は直径ＤＳよりも大きく、長さＬ４は直径ＤＬよりも大きい。この例では、概して、送信コイル１２７ｃは、多くても、電源側導電パス１０８ｂの一部分に相当し、受信コイル１２７ｄは、多くても、負荷側導電パス１３０ｂの一部分に相当する。この例は、複数の送信コイル１２７ｃおよび／または複数の受信コイル１２７ｄを含んでもよく、これらのコイルは、ＨＭＷＤ（すなわち、負荷１３３）および／または電源１１１から、任意の距離に概して位置する。この距離は、送信コイル１２７ｃおよび受信コイル１２７ｄの直径に比べて、比較的大きくてもよい。複数の送信コイル（例えば、送信コイル１２７ｃ）および複数の受信コイル（例えば、受信コイル１２７ｄ）は、本明細書に記載の結合領域に位置していてもよい。結合領域は、機械的結合領域および／または磁気的結合領域を含んでいてもよい。密結合構成は、誘導結合および／または共振結合を含み得る。
【００３０】
例えば、電磁密結合構成では、送信コイルと受信コイルとの間の距離ｄは５ｍｍ〜１０ｍｍの範囲であってよく、コイルの断面直径は０．０１ｍｍ〜１５ｍｍの範囲であってよく、コイルは概して複数の巻きを有していてもよい。コイルの直径ＤＬおよびＤＳは、概して、作動周波数に依存していてもよい。さらに、共振結合用のコイルは、比較的より高い作動周波数を有していてもよく、誘導結合用コイルに比べて、比較的より小さくてもよい。例えば、電磁密結合構成の作動周波数は、５０ヘルツ（Ｈｚ）〜５００キロヘルツ（ｋＨｚ）の範囲であってもよい。例えば、密結合構成の作動周波数は、１００ｋＨｚ〜３００ｋＨｚの範囲であってもよい。
【００３１】
図２には、本開示の様々な実施形態と整合する、負荷側導電パスおよび結合領域の例２００を示す。例２００は、第１の部分２０２ａと、第２の部分２０２ｂと、第３の部分２０２ｃとを有するストラップ２０２を含む。第１のストラップ部分２０２ａおよび第２のストラップ部分２０２ｂは、それぞれ、ユーザ２０４の耳から、ユーザの衣服（例えば、シャツ、ジャケット等）のヨーク部分に含まれる機械的結合領域２０６に延びている。第１のストラップ部分２０２ａおよび第２のストラップ部分２０２ｂは、それぞれの第１の端部において、図示しないＨＭＷＤに結合されている。第３のストラップ部分２０２ｃは、機械的結合領域２０６に含まれ、および／または、隣接している。第１のストラップ部分２０２ａおよび第２のストラップ部分２０２ｂは、それぞれ、負荷側導電パス部２１０ａおよび２１０ｂを有していてもよい。
【００３２】
いくつかの実施形態では、ストラップ２０２は、第１の機能２０８ａおよび第２の機能２０８ｂを含むか、これらに結合されていてもよい。ある実施形態では、第１の機能２０８ａおよび第２の機能２０８ｂは、本明細書に記載の機械的結合要素に相当し得る。ある実施形態では、第１の機能２０８ａおよび第２の機能２０８ｂは、電気的結合要素に相当し得る。この実施形態では、第３のストラップ部分２０２ｃは、導電性でなくてもよく、および／または、電気絶縁材料を含んでいてもよい。電気絶縁材料には、プラスチック（例えば、ポリ塩化ビニル、ポリエチレン）、ゴム（例えば、熱可塑性ゴム、ネオプレン（すなわち、ポリクロロプレン）、シリコーン）、フッ素重合体（例えば、ポリテトラフルオロエチレン（例えば、テフロン（登録商標））、ポリフッ化ビニリデン）等が含まれるが、これらに限定されない。この実施形態では、さらに、負荷側導電パス部２１０ａおよび２１０ｂが、ＤＣ電流および／または電圧（すなわち、ＤＣ電力）を、機能２０８ａ、２０８ｂとＨＭＷＤとの間に流すように構成されていてもよい。ある実施形態では、第１の機能２０８ａおよび第２の機能２０８ｂは、機械的結合要素と電気的結合要素の両方として構成されていてもよい。第１のストラップ部分２０２ａと第２のストラップ部分２０２ｂとは、硬質、または半硬質であってもよい。第３のストラップ部分２０２ｃおよび／または機能２０８ａ、２０８ｂの機械的結合領域２０６に対する位置決めを容易なものとするために、第３のストラップ部分２０２ｃは、概ね半硬質であってもよい。
【００３３】
いくつかの実施形態では、第３のストラップ部分２０２ｃおよび／または第３の負荷側導電パス部２１０ｃは、１つまたは複数の受信コイルの少なくとも一部分、例えば、図１Ｂの受信コイル１２７ｂおよび／または図１Ｃの１つまたは複数の受信コイル１２７ｄの一部分を含んでいてもよい。したがって、負荷側導電パスは、負荷側導電パス部２１０ａ、２１０ｂ、および２１０ｃを含んでいてもよい。言い換えれば、第３のストラップ部分２０２ｃは、これらの実施形態では、導電性を有する。これらの実施形態では、第１の機能２０８ａおよび第２の機能２０８ｂが含まれる場合には、これらは、機械的結合領域２０６に含まれ得る電源側導電パスに対して、少なくとも第３のストラップ部分２０２ｃと負荷側導電パス部２１０ｃとを位置決めするよう構成された機械的結合要素（例えば、機械的結合要素１２２ｂ）に相当する。これらの実施形態では、第３の負荷側導電パス部２１０ｃは、図１Ａの磁気的結合要素１２６ｂを含むか、これに相当していてもよい。
【００３４】
図３には、本開示の様々な実施形態と整合する、電源側導電パス結合領域の例３００を示す。例３００は、ジャケット（すなわち、衣服）３０２の背面図である。ジャケット３０２は、機械的結合領域３０４を含み、また、１つまたは複数の機能３０６ａおよび３０６ｂを含んでいてもよい。機械的結合領域３０４は、本明細書に記載の電源側導電パスの少なくとも一部分を含むよう構成されている。いくつかの実施形態では、例２００と同様に、機能３０６ａおよび３０６ｂは、本明細書に記載の機械的結合要素および／または電気的結合要素に相当し得る。電気的結合要素に相当する機能３０６ａおよび３０６ｂは、本明細書に記載のＤＣ電圧および／または電流（すなわち、ＤＣ電力）を流すよう構成された、各電源側導電パス部を終端させるよう構成されていてもよい。
【００３５】
いくつかの実施形態では、機械的結合領域３０４は、１つまたは複数の送信コイルの少なくとも一部分、例えば、図１Ｂの送信コイル１２７ａおよび／または図１Ｃの１つまたは複数の送信コイル１２７ｃのそれぞれの少なくとも一部分を含んでいてもよい。これらの実施形態では、機能３０６ａおよび３０６ｂが設けられている場合、これらは、本明細書に記載の機械的結合要素に相当し得る。各電源側導電パス部および／または各送信コイルの巻きを、機械的結合領域３０４内に分布させることにより、磁気的結合領域の面積を広げて、本明細書に記載の電源側導電パスと負荷側導電パスとの適切な結合の可能性を高くしてもよい。これらの実施形態では、機能３０６ａおよび／または３０６ｂが設けられていてもよく、設けられていなくてもよい。言い換えれば、負荷側導電パス部の機械的結合領域３０４に対する動きは、磁気的結合領域の大きさによって調節され得る。
【００３６】
図２および図３を参照すると、作動時に、ストラップ２０２（例えば、ストラップ部分２０２ｃ）は、ジャケット３０２の機械的結合領域３０４に接触するように構成されていてもよい。そして、負荷側導電パス部２１０ｃは、機械的結合領域３０４に接触しているか、または、その近くに位置していてもよい。負荷側導電パス部２１０ｃは、電源側導電パスの少なくとも一部分の比較的近くに位置していてもよく、よって、電源側導電パスと負荷側導電パスとの磁気的結合が容易になる。機能３０６ａおよび３０６ｂが設けられている場合は、これらはそれぞれ、機能２０８ａおよび２０８ｂと接触しているか、または、その近くに位置していてもよい。たとえば、機能２０８ａおよび２０８ｂを、機能３０６ａおよび３０６ｂと位置合わせして、負荷側導電パスを電源側導電パスに機械的（および／または電気的）に結合するように構成してもよい。
【００３７】
図４には、本開示の様々な実施形態に係る電源側導電パスを含む衣服の層構成４００を示す。電源側導電パスを含む衣服、例えば、図３のジャケット３０２は、１つまたは複数の層４０２、４０４、４０６、４０８および／または４１０を有していてもよい。内側層４０２は、ユーザの最も近くに配置されるよう構成されている。シールド層４０４は、内側層４０２に隣接している。絶縁層４０６は、内側層４０２とは反対側で、シールド層４０４に隣接している。導電パス層４０８は、シールド層４０４とは反対側で、絶縁層４０６に隣接している。外側層４１０は、絶縁層４０６とは反対側で、導電パス層４０８に隣接している。層構成は、衣服における位置および／または衣服の種類（例えば、シャツ、セーター、ジャケット等）によって変化してもよい。例えば、シールド層４０４および絶縁層４０６は、電源側導電パスの少なくとも一部分を含む衣服の領域にあってもよい。別の例では、衣服の種類によっては、いくつかの隣接する層を一体的に設けてもよい。したがって、衣服のあらゆる部分に必ずしもすべての層が存在しなくてもよい。
【００３８】
内側層４０２は、概して、ユーザに快適性を提供するよう構成されている。例えば、シャツであれば、内側層４０２がユーザの皮膚に触れ得るので、比較的ソフトに構成されていてもよい。すなわち、比較的柔らかい布で構成されていてもよい。別の例では、ジャケットの場合、内側層４０２は、ソフトさが比較的低減されていてもよい。これは、一般に、ユーザはジャケットの下に別の衣服を着用するからである。よって、より堅い内側層４０２が許容され得る。
【００３９】
シールド層４０４は、電磁障害（ＥＭＩ）および／または無線周波数（ＲＦ）への暴露からユーザを保護して、ＥＭＩ／ＲＦ放射を概して抑制するよう構成されている。例えば、磁気的結合構成では、電源側導電パスは、数メガヘルツ（ＭＨｚ）または数十ＭＨｚオーダーの周波数で電磁的エネルギーを流すように構成されている。シールド層４０４は、電源装置（例えば、図１Ａの電源装置１０２）の接地に結合されるよう構成されている。シールド層４０４は、本明細書に記載の導電性材料で構成されていてもよく、また、可撓性を提供するためにメッシュとして構成されていてもよい。
【００４０】
いくつかの実施形態では、内側層４０２とシールド層４０４とを１つの層に一体化してもよい。例えば、一般的にはユーザの皮膚の上に直接着用されるようには構成されていない衣服（例えば、ジャケット）の場合、内側層４０２とシールド層４０４を一体化してもよい。これは、シールド層４０４の堅さがユーザの快適性に及ぼす影響が、ジャケットの下に着用される衣服によって軽減されるからである。
【００４１】
絶縁層４０６は、導電パス層４０８に含まれる電源側導電パスとシールド層４０４との間を電気的に絶縁するよう構成されている。絶縁層４０６は、本明細書に記載の絶縁材料を含んでいてもよい。導電パス層４０８は、電源側導電パス（例えば、図１Ａの電源側導電パス１０８）を含むように構成されている。例えば、電源側導電パス１０８は絶縁層４０６に取り付けられてもよい。この例では、導電パス層４０８は、電源側導電パス１０８に相当し得る。別の例では、導電パス層４０８は、層材料および電源側導電パスを含んでいてもよい。
【００４２】
外側層４１０の材料は、概して、衣服の種類に関係する。外側層４１０は、衣服の最外層であり、少なくとも部分的には美的観点に基づいて、および、少なくとも部分的には衣服の種類に基づいて、選択されてもよい。外側層４１０は、概して、電源側導電パスから負荷側導電パスへの電気エネルギーおよび／または磁気エネルギーの伝送と干渉し得るＥＭＩ／ＲＦシールド材料を含まなくてもよい。いくつかの実施形態では、外側層４１０と導電パス層４０８とを１つの層に一体化してもよい。例えば、電源側導電パスは、を織って、外側層４１０の布に織り込まれてよい。その結果、この実施形態において、導電パス層４０８は、外側層４１０に相当し得る。
【００４３】
したがって、ヘッドマウントウェアラブルデバイス（ＨＭＤＷ）電源システム（および方法）は、負荷側導電パスと電源装置とに結合するよう構成された電源側導電パスを含み得る。電源側導電パスは、シャツ、ブラウス、ジャケット、ベスト、セーター、プルオーバー、コート、ベルト等の衣服に含まれていてもよい。電源装置（例えば、バッテリパック）は、衣服に含まれるか、および／または、取り付けられていてもよい。負荷側導電パスは、電源側導電パスと負荷（例えばＨＭＷＤ）とに結合するよう構成されている。負荷側導電パスの少なくとも一部分は、ユーザの首を少なくとも部分的に取り囲むよう構成されたＨＭＷＤに結合されたストラップに含まれていてもよい。電源側導電パスおよび／または負荷側導電パスは、それぞれ、電源側導電パスおよび負荷側導電パスを取り外し可能に結合するよう構成された１つまたは複数の機械的結合要素を含んでいてもよい。
【００４４】
図５Ａは、本開示の実施形態の１つと整合するＨＭＷＤ電源システムの例示的負荷部５００を示す。図５Ｂは、例示的電源部５２０を表わす。この電源部５２０は、本開示の実施形態の１つと整合する図５ＡのＨＭＷＤ電源システムの負荷部５００に関係する。例示的負荷部５００は、図１Ａの負荷部１２９に相当し得、例示的電源部５２０は図１Ａの電源部１０１に相当し得る。負荷部５００と電源部５２０とは、図１Ｂの疎結合構成１５０、または、図１Ｃの密結合構成１７０に相当し得る。図５Ａと図５Ｂとを組み合わせて考慮すれば、これらの図が最も良好に理解され得る。
【００４５】
負荷部５００は、ヘッドマウントディスプレイ（ＨＭＤ）５０２およびストラップ５０４とを含む。ＨＭＤ５０２とストラップ５０４とが、負荷側導電パス５０６を構成し得る。ＨＭＤ５０２は、図示を容易にするために、簡略化されている。負荷側導電パス５０６は、本明細書に記載の１つまたは複数の導電要素を含んでいてもよい。負荷側導電パス５０６の少なくとも一部分は、ストラップ５０４に含まれ、別の一部分はＨＭＤ５０２に含まれていてもよい。負荷側導電パス５０６のＨＭＤ５０２に含まれる部分は、ＨＭＤ５０２の概ね下方に配置されて、電源側導電パス５２４との接続を容易なものとしてもよい。したがって、負荷側導電パス５０６は、磁気的結合領域の少なくとも一部分を取り囲んでいてもよい。領域５０８は、機械的結合領域に相当し、ストラップ５０４および、１つまたは複数の結合要素（例えば、本明細書に記載の結合要素１２２ｂ、１２４ｂ、１２６ｂ）の少なくとも一部分を含み得る負荷側導電パス５０６の対応箇所を指している。
【００４６】
電源部５２０は、衣服（例えば、ベスト５２２）および、第１の部分５２４ａと、第２の部分５２４ｂと、第３の部分５２４ｃとを有する電源側導電パスを含む。第１および第３の電源側導電パス部５２４ａおよび５２４ｃは、電源５２６に結合されていてもよい。電源５２６は、図１Ｂおよび図１Ｃの電源１１１に相当する。ある実施形態では、電源５２６は、ベスト５２２の前身頃に一般的には配置されていてよい。別の実施形態では、電源部５２０は、ベルト５３２を含んでいてもよい。この実施形態では、電源５２６は、ベルト５３２の内部にまたはベルト５３２に接触するように配置されていてもよい。また、第１の部分５２４ａおよび第３の部分５２４ｃが、ベルト５３２まで延びていてもよい。領域５２８は、機械的結合領域に相当し、１つまたは複数の結合要素の少なくとも一部分を含み得る第２の電源側導電パス部５２４ｂの一部分を指している。例えば、ユーザが負荷部５００と電源部５２０とを装着する場合、領域５０８と領域５２８が概ね位置合わせされ得る。このように位置合わせすることにより、負荷側導電パス５０６と電源側導電パスの第２の部分５２４ｂとの間の機械的および／または電気的結合、もしくは磁気的結合が容易に実現されるよう構成されている。ある実施形態では、例えば、磁気的結合構成においては、第２の部分５２４ｂは、衣服５２２の襟ぐり領域５２３を取り囲んでいてもよい。この実施形態は、疎結合された共振結合構成に相当する。この実施形態では、第２の部分５２４ｂは、本明細書に記載の送信コイルに相当し得る。磁気的結合領域の境界５２５は、よって、第２の部分５２４ｂに相当し得る。別の実施形態では、第２の部分５２４ｂは、襟ぐり領域５２３を部分的に取り囲んでいてもよい。この実施形態では、第２の部分５２４ｂは、結合領域５２８に概して含まれ得る１つまたは複数の送信コイルを含んでいてもよい。この第２の実施形態は、よって、共振結合または誘導結合を伴う密結合に相当し得る。
【００４７】
この例５２０では、ベスト５２２は、閉鎖機能５３０を含む。１つまたは複数の閉鎖機能は、一般に、ジッパー、ボタン、および／またはスナップを含み得る。連続した電源側導電パス５２４ａ、５２４ｂ、５２４ｃ（すなわち、連続した第２の部分５２４ｂ）を設けるために、閉鎖機能５３０は、本明細書に記載の導電材料を含んでいてもよい。例えば、ジッパー５３０が導電材料を含んでいてもよい。別の例では、閉鎖機能５３０は、連続した導電パスを提供すべく、ベスト５２２の開きを横切るように構成される衣服材料のタブおよび／またはフラップに含まれてよい。
【００４８】
図６Ａは、本開示の実施形態の１つと整合するＨＭＷＤ電源システムの別の例示的負荷部６００を示す。図６Ｂは、別の例示的電源部６２０を示す。この電源部６２０は、本開示の実施形態の１つと整合する図６ＡのＨＭＷＤ電源システムの負荷部６００に関係する。例示的負荷部６００は図１Ａの負荷部１２９に、例示的電源部６２０は図１Ａの電源部１０１に相当し得る。負荷部６００と電源部６２０とは、図１Ｂの疎結合構成１５０、または、図１Ｃの密結合構成１７０に相当し得る。図６Ａと図６Ｂとを組み合わせて考慮すれば、これらの図が最も良好に理解され得る。
【００４９】
負荷部６００は、光学ヘッドマウントディスプレイ（ＨＭＤ）６０２およびストラップ６０４を含む。光学ＨＭＤ６０２は、制御部６１２を含む。光学ＨＭＤ６０２は、図示を容易にするために、簡略化されている。この例６００では、負荷側導電パス６０６は、第１のメガネつる６１０ａの例えば制御部６１２から始まり、ストラップ６０４まで連続し、ストラップ６０４に沿って第２のメガネつる６１０ｂまで延びている。さらに、負荷側導電パス６０６は、折り返して、ストラップ６０４に沿って第１のメガネつる６１０ａまで連続し、制御部６１２で終端している。ストラップ６０４および／または負荷側導電パス６０６は、本明細書に記載の１つまたは複数の導電要素を含んでいてもよい。ある実施形態では、負荷側導電パス６０６は、複数のループ（巻き）を含んでいてもよい。例えば、負荷側導電パス６０６は、本明細書に記載の受信コイルを含み、および／または、受信コイルに相当していてもよい。別の例では、負荷側導電パス６０６は、本明細書に記載の受信コイルを複数含んでいてもよい。領域６０８は、機械的結合領域に相当し、ストラップ６０４および、１つまたは複数の結合要素（例えば、本明細書に記載の結合要素１２２ｂ、１２４ｂ、１２６ｂ）の少なくとも一部分を含み得る負荷側導電パス６０６の対応箇所を指している。
【００５０】
電源部６２０は、衣服（例えば、ベスト６２２）および、第１の部分６２４ａと、第２の部分６２４ｂと、第３の部分６２４ｃとを有する電源側導電パスを含む。電源側導電パスの第１および第３の部分６２４ａおよび６２４ｃは、電源６２６に結合されていてもよい。電源６２６は、図１Ｂおよび図１Ｃの電源１１１に相当する。ある実施形態では、電源６２６は、ベスト６２２の前身頃に一般的には配置されていてよい。別の実施形態では、電源部６２０は、ベルト６３２を含んでいてもよい。この実施形態では、電源６２６は、ベルト６３２の内部にまたはベルト６３２に接触するように配置されていてもよい。また、電源側導電パスの第１の部分６２４ａおよび第３の部分６２４ｃが、ベルト６３２まで延びていてもよい。図５Ｂの例５２０と同様に、ベスト６２２は、閉鎖機能６３０を含む。電源側導電パス部６２４ａ、６２４ｂ、６２４ｃは、衣服の開きを横切らないように構成されている。衣服の開きは、閉鎖機能６３０によって、閉鎖されてもよいし、されなくてもよい。
【００５１】
負荷側導電パス６０６は、少なくとも領域６２８において、電源側導電パスの第２の部分６２４ｂに対応するよう構成されている。領域６２８は、機械的結合領域に相当し、１つまたは複数の結合要素の少なくとも一部分を含み得る電源側導電パスの第２の部分６２４ｂの一部分を指している。例えば、ユーザが負荷部６００と電源部６２０とを装着する場合、領域６０８と領域６２８が概ね位置合わせされる。このように位置合わせすることにより、負荷側導電パス６０６と電源側導電パスの第２の部分６２４ｂとの間の機械的および／または電気的結合、もしくは磁気的結合が容易に実現されるように構成されている。電源側導電パスの第２の部分６２４ｂは、例えば磁気的結合構成においては、衣服６２２の襟ぐり領域６２３を部分的に取り囲むように構成されている。この実施形態は、疎結合された共振結合構成に相当する。ある実施形態では、第２の部分６２４ｂは、本明細書に記載の送信コイルに相当し得る。磁気的結合領域の境界６２５は、よって、第２の部分６２４ｂに相当し得る。別の実施形態では、第２の部分６２４ｂは、結合領域６２８に概して含まれ得る１つまたは複数の送信コイルを含んでいてもよい。この第２の実施形態は、よって、共振結合または誘導結合を伴う密結合に相当し得る。
【００５２】
図７は、別の例示的電源部７２０を示し、この電源部７２０は、本開示の１つの実施形態と整合する図５ＡのＨＭＷＤ電源システムの負荷部５００に関係する。負荷部５００と電源部７２０とは、図１Ｂの疎結合構成１５０、または、図１Ｃの密結合構成１７０に相当し得る。
【００５３】
電源部７２０は、衣服（例えば、セーター７２２）および、第１の部分７２４ａと、第２の部分７２４ｂと、第３の部分７２４ｃとを有する電源側導電パスを含む。電源部７２０は、電源７２６を含む。電源７２６は、図１Ｂおよび図１Ｃの電源１１１に相当する。電源側導電パスの部分７２４ａ、７２４ｂ、７２４ｃは、それぞれ、本明細書に記載の１つまたは複数の導電要素を含んでいてもよい。電源側導電パスの第１および第３の部分７２４ａおよび７２４ｃは、電源７２６に結合されていてもよい。電源７２６は、一般的にはセーター７２２の前身頃に配置されていてよい。領域７２８は、機械的結合領域に相当し、１つまたは複数の結合要素（例えば、結合要素１２２ｂ、１２４ｂ、１２６ｂ）の少なくとも一部分を含み得る電源側導電パスの第２の部分７２４ｂの一部分を指している。例えば、ユーザが負荷部５００と電源部７２０とを装着する場合、図５Ａの領域５０８と領域７２８が概ね位置合わせされる。このように位置合わせすることにより、負荷側導電パス５０６と電源側導電パスの第２の部分７２４ｂとの間の機械的および／または電気的結合、もしくは磁気的結合（ならびにエネルギー伝送）が容易に実現されるように構成されている。電源側導電パスの第２の部分７２４ｂは、例えば磁気的結合構成においては、衣服７２２の襟ぐり領域７２３を少なくとも部分的に取り囲むよう構成されている。ある実施形態では、第２の部分７２４ｂは、本明細書に記載の送信コイルに相当し得る。この実施形態は、疎結合された共振結合構成に相当する。磁気的結合領域の境界７２５は、よって、第２の部分７２４ｂに相当し得る。別の実施形態では、第２の部分７２４ｂは、結合領域７２８に概して含まれ得る１つまたは複数の送信コイルを含んでいてもよい。この第２の実施形態は、よって、共振結合または誘導結合を伴う密結合に相当し得る。
【００５４】
図８は、本開示の実施形態の１つと整合する別の例示的電源部８２０を示す。電源部８２０は、衣服（例えば、セーター８２２）と、電源側導電パスの第１の部分８２４ａおよび第２の部分８２４ｂとを含む。第１の部分８２４ａと第２の部分８２４ｂとは、衣服８２２の襟ぐり領域８２３を部分的に取り囲んでいてもよい。電源部８２０は、一般にはセーター８２２の前身頃に配置される電源８２６をさらに含んでいてもよい。電源側導電パス８２４は、電源８２６に結合されていてもよい。
【００５５】
電源部８２０は、さらに、第１の電気的結合要素８２８ａおよび第２の電気的結合要素８２８ｂを含んでいてもよい。第１の電気的結合要素８２８ａは、第１の部分８２４ａに結合され、第２の電気的結合要素８２８ｂは第２の部分８２４ｂに結合されている。例えば、第１の電気的結合要素８２８ａは、図２の結合要素２０８ａに結合するよう構成されていてもよく、第２の電気的結合要素８２８ｂは、図２の結合要素２０８ｂに結合するよう構成されていてもよい。この例では、ストラップの部分２０２ｃは、よって、非導電性であってもよい。したがって、例示的電源部８２０は、ＤＣ電圧および／または電流を、負荷側導電パス（例えば、図２の負荷側導電パス部２１０ａおよび２１０ｂ）に結合するよう構成されていてもよい。このように、電源８２６は、ＤＣ電圧および／または電流を出力するように構成され得る。
【００５６】
図９には、本開示の様々な実施形態と整合する、調節可能なストラップ９０４を備える例示的なヘッドマウントウェアラブルデバイス（ＨＭＷＤ）９０２を示す。調節可能なストラップ９０４は、３つの部分９０６ａ、９０６ｂ、および９０６ｃを含んでいてもよい。部分９０６ａおよび９０６ｃは、半硬質または硬質であってよい。部分９０６ｂは、硬質、半硬質であってもよく、可撓性を有していてもよい。調節可能ストラップ９０４は、ピボット点９０８において、ＨＭＷＤ９０２に結合されている。調節可能ストラップ９０４は、ピボット点９０８周りに回転するよう構成されている。第１の位置９１０ａにおいては、調節可能ストラップ９０４は、本明細書に記載の結合領域９１２に接触するよう構成されている。第２の位置９１０ｂにおいては、調節可能ストラップ９０４は、長軸が概ね水平になるように配向され得る。第３の位置９１０ｃにおいては、調節可能ストラップ９０４は、長軸が概ね垂直になるように配向され得る。第２および第３の位置９１０ｂおよび９１０ｃは、概して、保管位置に相当し得る。言い換えれば、ストラップ９０４が第２の位置９１０ｂおよび第３の位置９１０ｃにあるときは、電源側導電パスおよび負荷側導電パスは電気的または磁気的に結合されていなくてもよい。
【００５７】
図１０は、本開示の様々な実施形態に係るヘッドマウントウェアラブルデバイス（ＨＭＷＤ）電源システムの動作のフローチャート１０００である。この動作は、例えば、図１Ａの電源側導電パス１０８および／または負荷側導電パス１３０によって行われ得る。
【００５８】
この実施形態における動作は、スタート１００２から開始され得る。動作１００４は、電源側導電パスによって、負荷側導電パスおよび電源装置への結合を実現することを含む。電源装置と電源側導電パスは、本明細書に記載の衣服に含まれていてもよい。動作１００６は、負荷側導電パスによって、電源側導電パスおよび負荷への結合を実現することを含む。負荷側導電パスは、ＨＭＷＤに関係していてもよい。動作１００８は、ＤＣ電圧および／または電流および／または時間変動波形（例えば、電圧および／または電流）のうち少なくとも１つを、電源側導電パスから負荷側導電パスへ伝送すること含む。そして、プロセスフローは、動作１０１０で終了する。
【００５９】
図１０のフローチャートは、様々な実施形態に係る動作を示すが、図１０に示す動作のすべてが他の実施形態についても必要であるわけではないことを理解されたい。さらに、本開示の他の実施形態において、図１０に示した動作および／または本明細書に記載のその他の動作を、いずれの図面にも具体的には示していない方法で組み合わせてもよく、また、そのような実施形態は図１０の動作よりも少ない動作または多くの動作を含み得ることが、本明細書においては完全に意図されている。したがって、１つの図面に厳密には図示されていない特徴および／または動作を主題とする請求項は、本開示の範囲と内容に含まれるものと見なされる。
【００６０】
本明細書に記載の実施形態のいずれにおいても使用される「論理」という用語は、上記の動作を実行するよう構成されたアプリ、ソフトウェア、ファームウェアおよび／または回路を意味し得る。ソフトウェアは、コンピュータで読取り可能な非一過性記憶媒体に記録された、ソフトウェアパッケージ、コード、命令、命令セットおよび／またはデータとして構成されてもよい。ファームウェアは、メモリデバイスにハードコードされた（例えば、不揮発性）のコード、命令、および／または命令セットとして構成されてもよい。
【００６１】
「回路」は、本明細書に記載のいずれの実施形態で使用される場合も、例えば、ハードワイヤード回路、１つまたは複数の独立した命令処理コアを有するコンピュータプロセッサのようなプログラム可能回路、ステートマシン回路および／またはプログラム可能な回路により実行される命令を記憶するファームウェアを、単独でもしくは組み合わせて含み得る。論理は、集合的にまたは個別に、より規模の大きいシステムの一部を構成する回路として構成されてもよい。その例としては、集積回路（ＩＣ）、特定用途向け集積回路（ＡＳＩＣ）、システムオンチップ（ＳｏＣ）、デスクトップコンピュータ、ラップトップコンピュータ、タブレットコンピュータ、サーバ、スマートフォン、等がある。
【００６２】
密着型結合磁気誘導は、密着型磁気誘導の仕様（書名：System description wireless power transfer、Volume 1: Low power, Part 1: Interface definition、バージョン1.1.2、発行年：２０１３年６月、発行者：Wireless Power Consortium, Institute of Electrical and Electronics Engineers (IEEE) -Industry Standards and Technology Organization (ISTO) (Piscataway, New Jersey）および／または、この仕様の後続のバージョンおよび／または関連するバージョン）を満たすか、および／または、これと互換性を有していてもよい。
【００６３】
疎結合磁気共鳴は、疎結合無線電力伝送の仕様（書名：Alliance for Wireless Power (A4WP) Baseline System Specification (BSS)、バージョン1.0、発行年：２０１３年１月、発行者：Alliance for Wireless Power (A4WP)(Fremont, California）および／または、この仕様の後続バージョンおよび／または関連するバージョン）を満たすか、および／または、これと互換性を有していてもよい。
【００６４】
いくつかの実施形態では、ハードウェア記述言語（ＨＤＬ）を使用して、本明細書に記載の各種論理および／または回路のための、回路および／または論理の実施を規定してもよい。例えば、ある実施形態では、ハードウェア記述言語は、本明細書に記載の１つまたは複数の回路および／または論理の半導体製造を可能とし得る、超高速集積回路（ＶＨＳＩＣ）ハードウェア記述言語（ＶＨＤＬ）を満たすか、または、これと互換性を有していてもよい。ＶＨＤＬは、ＩＥＥＥ規格１０７６−１９８７、ＩＥＥＥ規格１０７６．２、ＩＥＥＥ１０７６．１、ＶＨＤＬ−２００６のＩＥＥＥドラフト３．０、ＶＨＤＬ−２００８のＩＥＥＥドラフト４．０および／またはＩＥＥＥのＶＨＤＬ規格のその他のバージョンおよび／またはその他のハードウェア記述規格を満たすか、これと互換性を有していてもよい。
【００６５】
したがって、本開示の教示に整合して、システムおよび方法は、負荷側導電パスと電源装置とに結合するよう構成された電源側導電パスを含む。電源側導電パスは、シャツ、ブラウス、ジャケット、ベスト、セーター、プルオーバー、コート、ベルト等の衣服に含まれていてもよい。電源装置（例えば、バッテリパック）は、衣服に含まれるか、および／または、取り付けられていてもよい。負荷側導電パスは、電源側導電パスと負荷（例えばＨＭＷＤ）に結合するよう構成されている。負荷側導電パスの少なくとも一部分は、ＨＭＷＤに結合するとともにユーザの首を少なくとも部分的に取り囲むよう構成されたストラップに含まれていてもよい。
【００６６】
実施例
本開示の実施例は、以下に記載のように、方法、当該方法の行為を実行するための手段、装置、もしくはヘッドマウントウェアラブルデバイス（ＨＭＷＤ）電源システムに関係する装置またはシステムのような、主題要素を含む。
【００６７】
実施例１
この実施例によると、装置が提供される。この装置は、負荷側導電パスと電源装置とに結合する電源側導電パスを含む。電源側導電パスは衣服に含まれ、負荷側導電パスはヘッドマウントウェアラブルデバイス（ＨＭＷＤ）に関係している。
【００６８】
実施例２
本実施例は、実施例１の要素を含む。本実施例では、電源側導電パスは、機械的結合要素および／または電気的結合要素または磁気的結合要素のうち少なくとも１つを含む。
【００６９】
実施例３
本実施例は、実施例１の要素を含む。本実施例では、電源側導電パスは、送信コイルに相当する。
【００７０】
実施例４
本実施例は、実施例１の要素を含む。本実施例では、電源側導電パスは、送信コイルを含む。
【００７１】
実施例５
本実施例は、実施例１の要素を含む。本実施例では、電源側導電パスは、直流（ＤＣ）電圧および／または電流を流す。
【００７２】
実施例６
本実施例は、実施例１の要素を含む。本実施例では、電源側導電パスは、電源装置に関係する時間変動波形を流す。
【００７３】
実施例７
本実施例は、実施例１の要素を含む。本実施例では、電源側導電パスは、電源側導電パスと負荷側導電パスとの間に位置決め許容差を提供する。
【００７４】
実施例８
本実施例は、実施例１の要素を含む。本実施例では、電源側導電パスは、負荷側導電パスへの無線エネルギー伝送を提供する。
【００７５】
実施例９
本実施例は、実施例１の要素を含む。本実施例では、電源側導電パスは、導電要素を含む。
【００７６】
実施例１０
本実施例は、実施例９の要素を含む。本実施例では、導電要素は、金属、グラファイトおよび／または導電性ポリマーのうち１つまたは複数を含む。
【００７７】
実施例１１
本実施例は、実施例１〜１０のいずれか１つの実施例の要素を含む。本実施例では、電源側導電パスは、機械的結合要素を含み、当該機械的結合要素は、電源側導電パスと負荷側導電パスとの間に着脱可能な機械的結合を提供する。
【００７８】
実施例１２
本実施例は、実施例１１の要素を含む。本実施例では、機械的結合要素は、締結部と磁気要素を含む群から選択される。
【００７９】
実施例１３
本実施例は、実施例１１の要素を含む。本実施例では、機械的結合要素は磁石である。
【００８０】
実施例１４
本実施例は、実施例１１の要素を含む。本実施例では、電源側導電パスは電気的結合要素をさらに含み、当該電気的結合要素と機械的結合要素とは同一の要素である。
【００８１】
実施例１５
本実施例は、実施例１または実施例２の要素を含む。本実施例では、電源側導電パスは電気的結合要素を含み、電源側導電パスと負荷側導電パスとは、結合されると、導電性回路を形成する。
【００８２】
実施例１６
本実施例は、実施例１または実施例２の要素を含む。本実施例では、電源側導電パスは、磁気的結合要素を含む。
【００８３】
実施例１７
本実施例は、実施例１６の要素を含む。本実施例では、磁気的結合要素は、誘導結合と共振結合の少なくとも一方を提供する。
【００８４】
実施例１８
本実施例は、実施例１６の要素を含む。本実施例では、電源側導電パスは、負荷側導電パスに密結合するか、疎結合する。
【００８５】
実施例１９
本実施例は、実施例１６の要素を含む。本実施例では、電源側導電パスは、負荷側導電パスに密結合し、磁気要素は誘導結合を提供する。
【００８６】
実施例２０
本実施例は、実施例１６の要素を含む。本実施例では、電源側導電パスは、負荷側導電パスに疎結合するし、磁気要素は誘導結合または共振結合を提供する。
【００８７】
実施例２１
本実施例は、実施例３または実施例４の要素を含む。本実施例では、送信コイルは磁心を含む。
【００８８】
実施例２２
本実施例は、実施例３または実施例４の要素を含む。本実施例では、送信コイルの形状は、円形、楕円形、矩形および／または不規則形状のうち少なくとも１つである。
【００８９】
実施例２３
本実施例は、実施例６の要素を含む。本実施例では、時間変動波形の周波数が、１．０メガヘルツ（ＭＨｚ）〜５０ＭＨｚの範囲である。
【００９０】
実施例２４
本実施例は、実施例２３の要素を含む。本実施例では、時間変動波形の周波数が、６．７８ＭＨｚである。
【００９１】
実施例２５
本実施例は、実施例４の要素を含む。本実施例では、送信コイルは、誘導結合用または共振結合用に構成されている。
【００９２】
実施例２６
本実施例は、実施例１または実施例２の要素を含む。本実施例では、電源側導電パスは、複数の送信コイルを含む。
【００９３】
実施例２７
この実施例によると、装置が提供される。この装置は、電源側導電パスと負荷とに結合する負荷側導電パスを含む。負荷側導電パスは、ヘッドマウントウェアラブルデバイス（ＨＭＷＤ）に関係しており、電源側導電パスは、衣服に含まれている。
【００９４】
実施例２８
本実施例は、実施例２７の要素を含む。本実施例では、負荷側導電パスは、機械的結合要素および／または電気的結合要素または磁気的結合要素のうち少なくとも１つを含む。
【００９５】
実施例２９
本実施例は、実施例２７の要素を含む。本実施例では、負荷側導電パスは、受信コイルに相当する。
【００９６】
実施例３０
本実施例は、実施例２７の要素を含む。本実施例では、負荷側導電パスは、受信コイルを含む。
【００９７】
実施例３１
本実施例は、実施例２７の要素を含む。本実施例では、負荷側導電パスは、直流（ＤＣ）電圧および／または電流を流す。
【００９８】
実施例３２
本実施例は、実施例２７の要素を含む。本実施例では、負荷側導電パスは、電源装置に関係する時間変動波形を流す。
【００９９】
実施例３３
本実施例は、実施例２７の要素を含む。本実施例では、負荷側導電パスは、導電要素を含む。
【０１００】
実施例３４
本実施例は、実施例３３要素を含む。本実施例では、導電要素は、金属、グラファイトおよび／または導電性ポリマーのうち１つまたは複数を含む。
【０１０１】
実施例３５
本実施例は、実施例２７の要素を含む。本実施例では、負荷側導電パスの少なくとも一部分は、硬質または半硬質であるか、可撓性を有する。
【０１０２】
実施例３６
本実施例は、実施例２７〜３５のいずれか１つの実施例の要素を含む。本実施例では、負荷側導電パスは、機械的結合要素を含む。当該機械的結合要素は、負荷側導電パスと電源側導電パスとの間に着脱可能な機械的結合を提供する。
【０１０３】
実施例３７
本実施例は、実施例３６の要素を含む。本実施例では、機械的結合要素は、締結部と磁気要素を含む群から選択される。
【０１０４】
実施例３８
本実施例は、実施例３６の要素を含む。本実施例では、機械的結合要素は磁石である。
【０１０５】
実施例３９
本実施例は、実施例３６の要素を含む。本実施例では、負荷側導電パスは電気的結合要素をさらに含み、当該電気的結合要素と機械的結合要素とは同一の要素である。
【０１０６】
実施例４０
本実施例は、実施例２７または実施例２８の要素を含む。本実施例では、負荷側導電パスは電気的結合要素を含み、負荷側導電パスと電源側導電パスとは、結合されると、導電性回路を形成する。
【０１０７】
実施例４１
本実施例は、実施例２７または実施例２８の要素を含む。本実施例では、負荷側導電パスは、磁気的結合要素を含む。
【０１０８】
実施例４２
本実施例は、実施例４１の要素を含む。本実施例では、磁気要素は、誘導結合と共振結合の少なくとも一方を提供するよう構成されている。
【０１０９】
実施例４３
本実施例は、実施例２７の要素を含む。本実施例では、負荷側導電パスは、電源側導電パスに密結合または疎結合する。
【０１１０】
実施例４４
本実施例は、実施例４１の要素を含む。本実施例では、負荷側導電パスは、電源側導電パスに密結合し、磁気要素は誘導結合を提供する。
【０１１１】
実施例４５
本実施例は、実施例４１の要素を含む。本実施例では、負荷側導電パスは、電源側導電パスに疎結合し、磁気要素は誘導結合または共振結合を提供する。
【０１１２】
実施例４６
本実施例は、実施例２９または実施例３０の要素を含む。本実施例では、受信コイルは、磁心を含む。
【０１１３】
実施例４７
本実施例は、実施例２９または３０の要素を含む。本実施例では、受信コイルの形状は、円形、楕円形、矩形および／または不規則形状のうち少なくとも１つである。
【０１１４】
実施例４８
本実施例は、実施例３２の要素を含む。本実施例では、時間変動波形の周波数が、１．０メガヘルツ（ＭＨｚ）〜５０ＭＨｚの範囲にある。
【０１１５】
実施例４９
本実施例は、実施例４８の要素を含む。本実施例では、時間変動波形の周波数が、６．７８メガヘルツ（ＭＨｚ）である。
【０１１６】
実施例５０
本実施例は、実施例３０の要素を含む。本実施例では、受信コイルは、誘導結合用または共振結合用に構成されている。
【０１１７】
実施例５１
本実施例は、実施例２７の要素を含む。本実施例では、負荷側導電パスは、複数の受信コイルを含む。
【０１１８】
実施例５２
この実施例によると、システムが提供される。このシステムは、電源装置および衣服を含む。当該衣服は、負荷側導電パスと電源装置とに結合する電源側導電パスを含む。負荷側導電パスは、ヘッドマウントウェアラブルデバイス（ＨＭＷＤ）に関係している。
【０１１９】
実施例５３
本実施例は、実施例５２の要素を含む。本実施例では、衣服は、シャツ、ブラウス、ジャケット、ベスト、セーター、プルオーバー、コートおよびベルトを含む群から選択される。
【０１２０】
実施例５４
本実施例は、実施例５２の要素を含む。本実施例では、衣服は複数の層を含み、電源側導電パスは少なくとも１つの層に含まれている。
【０１２１】
実施例５５
本実施例は、実施例５２の要素を含む。本実施例では、電源側導電パスは、衣服の襟ぐり領域を少なくとも部分的に取り囲む。
【０１２２】
実施例５６
本実施例は、実施例５２の要素を含む。本実施例では、衣服が結合領域を含み、電源側導電パスの少なくとも一部分が当該結合領域に含まれている。
【０１２３】
実施例５７
本実施例は、実施例５２の要素を含む。本実施例では、電源側導電パスは、機械的結合要素および／または電気的結合要素または磁気的結合要素もうち少なくとも１つを含む。
【０１２４】
実施例５８
本実施例は、実施例５２の要素を含む。本実施例では、電源装置の少なくとも１つが衣服に含まれ、および／または、電源装置は衣服に取り付けられている。
【０１２５】
実施例５９
本実施例は、実施例５２の要素を含む。本実施例では、電源側導電パスは、電源側導電パスと負荷側導電パスとの間に位置決め許容差を提供する。
【０１２６】
実施例６０
本実施例は、実施例５２〜５９のいずれか１つの実施例の要素を含む。本実施例では、電源側導電パスは、負荷側導電パスへの無線エネルギー伝送を提供する。
【０１２７】
実施例６１
本実施例は、実施例５２〜５９のいずれか１つの実施例の要素を含む。本実施例は、さらに、電源側導電パスに結合された電源電力変換回路を備える。
【０１２８】
実施例６２
本実施例は、実施例５６の要素を含む。本実施例では、電源側導電パスが送信コイルを含み、当該送信コイルは複数の巻きを有し、当該巻きの少なくとも一部分が結合領域内に分布している。
【０１２９】
実施例６３
本実施例は、実施例５２〜５９のいずれか１つの実施例の要素を含む。本実施例では、衣服は少なくとも１つの層を含む。
【０１３０】
実施例６４
本実施例は、実施例５２〜５９のいずれか１つの実施例の要素を含む。本実施例では、衣服は複数の層を含む。
【０１３１】
実施例６５
本実施例は、実施例５２の要素を含む。本実施例では、衣服は、内側層、シールド層、絶縁層、導電パス層、および外側層を含む。
【０１３２】
実施例６６
本実施例は、実施例６５の要素を含む。本実施例では、シールド層が内側層に隣接して配置され、絶縁層が、内側層の反対側で、シールド層に隣接して配置され、導電パス層は、シールド層の反対側で、絶縁層に隣接して配置され、外側層が、絶縁層の反対側で、導電パス層に隣接して配置される。
【０１３３】
実施例６７
本実施例は、実施例６５の要素を含む。本実施例では、内側層とシールド層が１つの層に一体化されている。
【０１３４】
実施例６８
本実施例は、実施例６５の要素を含む。本実施例では、衣服の一部分がシールド層と絶縁層とを含む。
【０１３５】
実施例６９
本実施例は、実施例６５の要素を含む。本実施例では、シールド層が、電源装置の接地に結合されている。
【０１３６】
実施例７０
本実施例は、実施例６５の要素を含む。本実施例では、シールド層が導電性材料で構成されている。
【０１３７】
実施例７１
本実施例は、実施例７０の要素を含む。本実施例では、シールド層がメッシュとして構成されている。
【０１３８】
実施例７２
本実施例は、実施例６５の要素を含む。本実施例では、絶縁層が、プラスチック、ゴムおよび／またはフッ素重合体のうち少なくとも１つを含む。
【０１３９】
実施例７３
本実施例は、実施例６５の要素を含む。本実施例では、電源側導電パスは絶縁層に取り付けられており、導電パス層が電源側導電パスに相当する。
【０１４０】
実施例７４
本実施例は、実施例６５の要素を含む。本実施例では、外側層と導電パス層が１つの層になっている。
【０１４１】
実施例７５
本実施例は、実施例７４の要素を含む。本実施例では、電源側導電パスを織ることにより外側層が構成されている。
【０１４２】
実施例７６
本実施例は、実施例５２〜５９のいずれか１つの実施例の要素を含む。本実施例では、衣服は閉鎖機能を含み、当該閉鎖機能が導電性材料を含む。
【０１４３】
実施例７７
この実施例によると、システムが提供される。このシステムは、ヘッドマウントウェアラブルデバイス（ＨＭＷＤ）に結合するストラップ、および、電源側導電パスと負荷とに結合する負荷側導電パスを含む。負荷側導電パスは、ヘッドマウントウェアラブルデバイス（ＨＭＷＤ）および衣服に含まれた電源側導電パスに関係している。
【０１４４】
実施例７８
本実施例は、実施例７７の要素を含む。本実施例では、負荷側導電パスの少なくとも一部分が、ストラップに含まれている。
【０１４５】
実施例７９
本実施例は、実施例７７の要素を含む。本実施例では、ストラップの少なくとも一部分は、硬質または半硬質であるか、可撓性を有する。
【０１４６】
実施例８０
本実施例は、実施例７７の要素を含む。本実施例では、ストラップの少なくとも一部分は、衣服の結合領域と位置合わせされる。
【０１４７】
実施例８１
本実施例は、実施例７７の要素を含む。本実施例では、負荷側導電パスは、機械的結合要素および／または電気的結合要素または磁気的結合要素のうち少なくとも１つを含む。
【０１４８】
実施例８２
本実施例は、実施例７７〜８１のいずれか１つの実施例の要素を含む。本実施例では、ストラップは、受信コイルを含む。
【０１４９】
実施例８３
本実施例は、実施例７７〜８１のいずれか１つの実施例の要素を含む。本実施例では、ストラップは紐である。
【０１５０】
実施例８４
本実施例は、実施例７７〜８１のいずれか１つの実施例の要素を含む。本実施例では、ＨＭＷＤは、ヘッドマウントディスプレイ（ＨＭＤ）である。
【０１５１】
実施例８５
本実施例は、実施例７７〜８１のいずれか１つの実施例の要素を含む。本実施例は、さらに、負荷側導電パスに結合された負荷電力変換回路を備える。
【０１５２】
実施例８６
本実施例は、実施例７７〜８１のいずれか１つの実施例の要素を含む。本実施例では、負荷はＨＭＷＤに相当する。
【０１５３】
実施例８７
本実施例は、実施例７７〜８１のいずれか１つの実施例の要素を含む。本実施例では、ストラップの一部分が、電気絶縁材料を含み、当該の部分が、衣服に含まれる結合領域と位置合わせされる。
【０１５４】
実施例８８
本実施例は、実施例８７の要素を含む。本実施例では、電気絶縁材料が、プラスチック、ゴムおよび／またはフッ素重合体から選択される。
【０１５５】
実施例８９
本実施例は、実施例７７〜８１のいずれか１つの実施例の要素を含む。本実施例では、ストラップは、負荷側導電パスの少なくとも一部分を含む。
【０１５６】
実施例９０
本実施例は、実施例７７〜８１のいずれか１つの実施例の要素を含む。本実施例では、ストラップは、受信コイルの少なくとも一部分を含む。
【０１５７】
実施例９１
本実施例は、実施例７７〜８１のいずれか１つの実施例の要素を含む。本実施例では、ストラップは、複数の受信コイルを含む。
【０１５８】
実施例９２
本実施例は、実施例７７〜８１のいずれか１つの実施例の要素を含む。本実施例では、ストラップは、負荷側導電パスの少なくとも一部分を、衣服に含まれた結合領域に対して位置決めする、機械的結合要素を含む。
【０１５９】
実施例９３
本実施例は、実施例７７〜８１のいずれか１つの実施例の要素を含む。本実施例では、負荷側導電パスが、磁気的結合領域の少なくとも一部分を取り囲んでいる。
【０１６０】
実施例９４
本実施例は、実施例７７〜８１のいずれか１つの実施例の要素を含む。本実施例では、ストラップは、負荷側導電パスの第１の部分を含み、負荷側導電パスの第２の部分がＨＭＷＤ上に含まれている。
【０１６１】
実施例９５
本実施例は、実施例７７〜８１のいずれか１つの実施例の要素を含む。本実施例では、ＨＭＷＤがメガネを含み、負荷側導電パスが第１のメガネつるから始まり、ストラップに沿って第２のメガネつるにまで連続し、折り返したのちに第１のメガネつるまで連続している。
【０１６２】
実施例９６
本実施例は、実施例７７の要素を含む。本実施例では、ストラップは調節可能である。
【０１６３】
実施例９７
本実施例は、実施例９６の要素を含む。本実施例では、ストラップは、第１の部分と、第２の部分と、第３の部分とを含む。
【０１６４】
実施例９８
本実施例は、実施例９７の要素を含む。本実施例では、第１の部分と第３の部分とは半硬性または硬性であり、第２の部分は硬性または硬性であるか、可撓性を有する。
【０１６５】
実施例９９
本実施例は、実施例９６の要素を含む。本実施例では、ストラップは、ピボット点においてＨＭＷＤに結合され、当該ピボット点周りに複数の位置のそれぞれに向けて回転する。
【０１６６】
実施例１００
本実施例は、実施例９９の要素を含む。本実施例では、ストラップが複数の位置のうちの１つにあるときに、負荷側導電パスが電源側導電パスに、電気的または磁気的に結合する。
【０１６７】
実施例１０１
この実施例によると、方法が提供される。この方法は、電源側導電パスによる負荷側導電パスとの結合、および、電源側導電パスによる電源装置との結合を行うことを含む。電源側導電パスは衣服に含まれ、負荷側導電パスはヘッドマウントウェアラブルデバイス（ＨＭＷＤ）に関係している。
【０１６８】
実施例１０２
この方法は、実施例１０１の要素を含む。本実施例は、さらに、負荷側導電パスによる電源側導電パスとの結合、および、負荷側導電パスによる負荷との結合を行うことを含む。
【０１６９】
実施例１０３
本実施例は、実施例１０１の要素を含む。本実施例は、さらに、直流（ＤＣ）電圧および／または電流、および／または、時間変動波形のうち少なくとも１つを、電源側導電パスから負荷側導電パスへ伝送すること含む。
【０１７０】
実施例１０４
本実施例は、実施例１０１〜１０３のいずれか１つの実施例の要素を含む。本実施例では、電源側導電パスおよび負荷側導電パスは、それぞれ、機械的結合要素および／または電気的結合要素または磁気的結合要素のうち少なくとも１つを含む。
【０１７１】
実施例１０５
本実施例は、実施例１０１〜１０３のいずれか１つの実施例の要素を含む。本実施例では、電源側導電パスは送信コイルに相当し、負荷側導電パスは受信コイルに相当する。
【０１７２】
実施例１０６
本実施例は、実施例１０１〜１０３のいずれか１つの実施例の要素を含む。本実施例では、電源側導電パスは送信コイルを含み、負荷側導電パスは受信コイルを含む。
【０１７３】
実施例１０７
本実施例は、実施例１０１〜１０３のいずれか１つの実施例の要素を含む。本実施例は、さらに、電源側導電パスによって直流（ＤＣ）電圧および／または電流を流し、負荷側導電パスによって当該ＤＣ電圧および／または電流を流すこと含む。
【０１７４】
実施例１０８
本実施例は、実施例１０１〜１０３のいずれか１つの実施例の要素を含む。本実施例は、さらに、電源側導電パスによって、電源装置に関係する電源時間変動波形を流し、負荷側導電パスによって、上記電源時間変動波形に関係する負荷時間変動波形を流すこと含む。
【０１７５】
実施例１０９
本実施例は、実施例１０１〜１０３のいずれか１つの実施例の要素を含む。本実施例は、さらに、電源側導電パスによって、電源側導電パスと負荷側導電パスとの間に位置決め許容差を提供することを含む。
【０１７６】
実施例１１０
本実施例は、実施例１０１〜１０３のいずれか１つの実施例の要素を含む。本実施例は、さらに、電源側導電パスによって、負荷側導電パスへの無線エネルギー伝送を提供することを含む。
【０１７７】
実施例１１１
本実施例は、実施例１０１〜１０３のいずれか１つの実施例の要素を含む。本実施例では、電源側導電パスは第１の機械的結合要素を含み、負荷側導電パスは第２の機械的結合要素を含む。本実施例は、さらに、これら機械的結合要素によって、電源側導電パスおよび負荷側導電パスを着脱可能かつ機械的に結合することを含む。
【０１７８】
実施例１１２
本実施例は、実施例１０１〜１０３のいずれか１つの実施例の要素を含む。本実施例では、電源側導電パスは第１の電気的結合要素を含み、負荷側導電パスは第２の電気的結合要素を含む。本実施例は、さらに、これら電気的結合要素によって結合を行うことを含み、電源側導電パスと負荷側導電パスとが導電性回路を形成する。
【０１７９】
実施例１１３
本実施例は、実施例１０１〜１０３のいずれか１つの実施例の要素を含む。本実施例では、電源側導電パスおよび負荷側導電パスは、それぞれ、対応の磁気的結合要素を含む。
【０１８０】
実施例１１４
本実施例は、実施例１１３の要素を含む。本実施例は、さらに、磁気的結合要素によって、誘導結合と共振結合の少なくとも一方を提供することを含む。
【０１８１】
実施例１１５
本実施例は、実施例１０１〜１０３のいずれか１つの実施例の要素を含む。本実施例は、さらに、電源側導電パスによって、負荷側導電パスへの密結合または疎結合の少なくとも一方を実現することを含む。
【０１８２】
実施例１１６
本実施例は、実施例１０３の要素を含む。本実施例では、時間変動波形の周波数が、１．０メガヘルツ（ＭＨｚ）〜５０ＭＨｚの範囲にある。
【０１８３】
実施例１１７
本実施例は、実施例１０５〜１０６のいずれか１つの実施例の要素を含む。本実施例では、送信コイルおよび／または受信コイルの少なくとも一方が、磁心を含む。
【０１８４】
実施例１１８
本実施例は、実施例１０５〜１０６のいずれか１つの実施例の要素を含む。本実施例では、送信コイルおよび受信コイルが、誘導結合または共振結合用に構成されている。
【０１８５】
実施例１１９
本実施例は、実施例１０１〜１０３のいずれか１つの実施例の要素を含む。本実施例では、電源側導電パスの少なくとも１つが複数の送信コイルを含み、および／または、負荷側導電パスは複数の受信コイルを含む。
【０１８６】
実施例１２０
本実施例は、実施例１０１〜１０３のいずれか１つの実施例の要素を含む。本実施例では、衣服は、シャツ、ブラウス、ジャケット、ベスト、セーター、プルオーバー、コートおよびベルトを含む群から選択される。
【０１８７】
実施例１２１
本実施例は、実施例１０１〜１０３のいずれか１つの実施例の要素を含む。本実施例では、衣服は複数の層を含み、電源側導電パスは少なくとも１つの層に含まれている。
【０１８８】
実施例１２２
本実施例は、実施例１０１〜１０３のいずれか１つの実施例の要素を含む。本実施例は、さらに、電源側導電パスによって、衣服の襟ぐり領域を少なくとも部分的に取り囲むことを含む。
【０１８９】
実施例１２３
本実施例は、実施例１０１〜１０３のいずれか１つの実施例の要素を含む。本実施例では、衣服は結合領域を含み、電源側導電パスの少なくとも一部分が当該結合領域に含まれている。
【０１９０】
実施例１２４
本実施例は、実施例１０１〜１０３のいずれか１つの実施例の要素を含む。本実施例では、電源装置の少なくとも１つが衣服に含まれ、および／または、電源が衣服に取り付けられている。
【０１９１】
実施例１２５
本実施例は、実施例１０１〜１０３のいずれか１つの実施例の要素を含む。本実施例は、さらに、電源側導電パスによって、電源側導電パスと負荷側導電パスとの間に位置決め許容差を提供することを含む。
【０１９２】
実施例１２６
本実施例は、実施例１０１〜１０３のいずれか１つの実施例の要素を含む。本実施例では、衣服は少なくとも１つを含む。
【０１９３】
実施例１２７
本実施例は、実施例１０１〜１０３のいずれか１つの実施例の要素を含む。本実施例では、衣服は、内側層、シールド層、絶縁層、導電パス層および外側層を含む。
【０１９４】
実施例１２８
本実施例は、実施例１０１〜１０３のいずれか１つの実施例の要素を含む。本実施例は、さらに、機械的結合要素によって、負荷側導電パスの少なくとも一部分を、衣服に含まれた結合領域に対して位置決めすることを含み、ストラップに含まれる上記機械的結合要素がＨＭＷＤに結合されている。
【０１９５】
実施例１２９
本実施例は、実施例１０１〜１０３のいずれか１つの実施例の要素を含む。本実施例では、負荷側導電パスが、磁気的結合領域の少なくとも一部分を取り囲んでいる。
【０１９６】
実施例１３０
本開示の別の実施例は、実施例１０１〜１２９のいずれか１つの方法を実施するために配置される装置を少なくとも１つ含むシステムである。
【０１９７】
実施例１３１
本開示の別の実施例は、実施例１０１〜１２９のいずれか１つの方法を実施するための手段を含む装置である。
【０１９８】
本明細書中に採用された用語および表現は、説明を目的とした用語であって、限定を目的とした用語として使用されものではない。これら用語および表現の使用にあたっては、図示および説明された特徴（またはその一部）の等価物を排除する意図は一切ない。また、特許請求の範囲内において、様々な改変が可能であることを認識されたい。したがって、特許請求の範囲は、上記のような等価物のすべてを包含することを意図している。
【０１９９】
本明細書では、様々な特徴、局面、および実施形態を説明してきた。当業者には理解されるように、これらの特徴、局面、および実施形態は、変形や改変と同様に、互いに組み合わせることが可能である。よって、本開示は、そのような組み合わせ、変形、および改変を包含するものと考慮されるべきである。
【図１Ａ】
2018503341.tif 000003
【図１Ｂ】
2018503341.tif 000004
【図１Ｃ】
2018503341.tif 000005
【図２】
2018503341.tif 000006
【図３】
2018503341.tif 000007
【図４】
2018503341.tif 000008
【図５Ａ】
2018503341.tif 000009
【図５Ｂ】
2018503341.tif 000010
【図６Ａ】
2018503341.tif 000011
【図６Ｂ】
2018503341.tif 000012
【図７】
2018503341.tif 000013
【図８】
2018503341.tif 000014
【図９】
2018503341.tif 000015
【図１０】
2018503341.tif 000016
【国際調査報告】
2018503341.tif 000017
2018503341.tif 000018
2018503341.tif 000019